(57)【要約】【課題】  板状芯材を被覆する外被材の内部を減圧し密封するときに発生する耳のしわと耳の折り曲げ線とが重ならない構造の真空断熱材とこの真空断熱材を用いる冷蔵庫を提供する。【解決手段】    板状芯材３１とこの板状芯材を被覆する外被材３２とからなり、外被材３２の内部を減圧密封したときに板状芯材３１の周囲よりも外側に形成される耳３３を有し、耳３３を真空断熱材３０の表面側に重ね合わせるように折り曲げて形成される真空断熱材３０において、板状芯材３１の角部３１ｃが面取りされている真空断熱材３０を提案する。  外被材３２の内部を減圧密封するときに発生する耳３３のしわ３３ｅ，３３ｆが分散され、しかも、しわ３３ｅ，３３ｆの大きさが小さくなるので、耳３３の折り返しによる外被材３１のピンホールなどの傷付きが少ない真空断熱材３０と、この真空断熱材３０を用いた冷蔵庫が得られる。【選択図】        図３
2006070923.tif 000002
【特許請求の範囲】
【請求項１】
板状芯材と前記板状芯材を被覆する外被材とからなり、前記外被材の内部を減圧密封したときに前記板状芯材の周囲よりも外側に形成される耳を有し、前記耳を真空断熱材表面側に重ね合わせるように折り曲げて形成される真空断熱材において、
前記板状芯材の四隅部のうち少なくとも２つの角部が、９０°を超える角度に面取りされまたは丸みを有する形状に形成されていることを特徴とする真空断熱材。
【請求項２】
請求項１に記載の真空断熱材において、
前記板状芯材の稜角部が、面取りされていることを特徴とする真空断熱材。
【請求項３】
請求項１または２に記載の真空断熱材において、
長手方向の前記折り曲げ線と他方の折り曲げ線との交点を前記外被材の熱溶着部に位置させたことを特徴とする真空断熱材。
【請求項４】
請求項１または２に記載の真空断熱材において、
前記面取りの形状または丸みの形状に合わせて前記板状芯材の角部に対応する斜めの溶着部を前記外被材に形成し、
前記斜めの溶着部外側の外被材を削除し、
長手方向の前記折り曲げ線と他方の折り曲げ線との仮想の交点を前記外被材の熱溶着部の外側に位置させたことを特徴とする真空断熱材。
【請求項５】
外板と内板と間に位置するように前記外板側または前記内板側に真空断熱材を固定し、前記真空断熱材の周囲の空間に発泡断熱材を充填し断熱壁とした冷蔵庫において、
前記真空断熱材が、請求項１ないし４のいずれか一項に記載の真空断熱材であることを特徴とする冷蔵庫。
【発明の詳細な説明】
【技術分野】
【０００１】
本発明は、真空断熱材およびこの真空断熱材を用いた冷蔵庫に係り、特に、真空断熱材を減圧密封したときに外被材に生じるしわと折り曲げ部との干渉に関する。
【背景技術】
【０００２】
従来の真空断熱材を用いた冷蔵庫は、無機繊維集合体を芯材とし、ガスバリア性の外被材で芯材を被覆し、外被材の内部を減圧密封し、外被材の芯材の周囲よりも外側に形成された耳を真空断熱材自身の表面側に折り曲げて形成した真空断熱材を用いていた。
【０００３】
ウレタンなどの発泡断熱材で形成する断熱壁内や仕切り板壁内にこの真空断熱材を配置し、庫内温度の上昇を抑制し、省エネルギ化していた(例えば、特許文献１参照)。
【０００４】
また、断熱性能を有する芯材と、芯材を包装して密封する２枚の包装フィルムとで真空断熱材を形成し、包装フィルムの最終封止部分に内側熱溶着部と外側熱溶着部とを備え、２枚の包装フィルムを密封するときに発生する包装フィルムのしわに起因する溶着不良を防止し、真空度が高く断熱性能の高い真空断熱材としていた(例えば、特許文献２参照)。
【０００５】
【特許文献１】特開２００１−１６５５５７号公報      （第５頁〜第６頁、図２）
【特許文献２】特開平１１−２１０９８３号公報      （第４頁、図２）
【発明の開示】
【発明が解決しようとする課題】
【０００６】
特許文献１の技術においては、冷蔵庫の断熱壁内や仕切り板壁内に高断熱性能の真空断熱材を配置し、真空断熱材の芯材を被覆するガスバリア性の外被材内部を減圧密封する際に外被材の芯材の周囲よりも外側に形成された耳が、壁内にウレタンなどの発泡断熱材を充填するときに、ウレタンなどの発泡断熱材の充填流動を阻害し、壁内に未充填箇所または充填比重の異なる断熱壁層を形成してしまうことを防止するために、外被材の耳を真空断熱材の表面側に折り曲げていた。
【０００７】
外被材は、ガスバリア性を確保するためにアルミニウム箔やアルミニウム蒸着層を含む複層のラミネートフィルムで形成されているため、外被材自身に伸びが無く、しかも、剛性があるので、外被材内部を減圧密封したとき、耳にしわが生じることがあった。
【０００８】
このしわが生じた耳を従来のように折り曲げると、折り曲げ部としわとが交差した部分に大きな内部応力が加わるために、この交差部に微細なピンホールができ、真空断熱材の断熱性能を低下させてしまうことがあった。
【０００９】
特許文献２の技術においては、図８に示すように、真空断熱材１は、断熱性能を有する芯材２と、芯材２を被覆する複層のラミネートフィルムで形成されたガスバリア性の外被材３とからなる。外被材３は、真空断熱材を高真空度に保持できるように、中間層にガスバリア性を確保するためのアルミニウム箔やアルミニウム蒸着層などを含み、その最外層に耐突き刺し性を示すナイロン樹脂やポリエチレンテレフタレート樹脂などの層を有し、その最内層に高密度ポリエチレン樹脂などの熱溶着可能な合成樹脂層を有している。
【００１０】
したがって、複層のラミネートフィルムで形成されているので、外被材３は、材料としての伸びが無く、それ自身で剛性を持っている。
【００１１】
袋状に形成するための第１の熱溶着部４により三辺を熱溶着した袋状の外被材３中に、芯材２を挿入した後、所定の真空度になるまで袋状外被材３および芯材２を減圧し、第２の熱溶着部８を熱溶着すると、密封状態の真空断熱材１となる。
【００１２】
第２の熱溶着部８は、しわ７が外側熱溶着部８ｂに達しないように、十分に幅広の内側熱溶着部８ａと外側溶着部８ｂとからなる。
【００１３】
しわ７は、所定の真空度になるまで袋状外被材および芯材を減圧し密封したときに芯材の四隅の外被材３の耳に発生する。外被材３自身に材料としての伸びが無く、それ自身で剛性を持っているために、しわ７自身もかなりの剛性を示す。
【００１４】
したがって、耳３の四辺を真空断熱材表面側に折り曲げる場合に、長辺の耳の折り曲げ線６ａおよび短辺の耳の折り曲げ線６ｂが交差する交点６ｃとしわ７とが交差すると、この交差部分の外被材３には大きな内部応力が加わり、この交差部分に微細なピンホールが生じ、真空断熱材１の断熱性能を低下させてしまう。
【００１５】
また、芯材２は、通常、ポリウレタンを発泡させてパネル状にしたり、無機繊維集合体をシート状にしたりして形成するので、芯材２の角部が弱くなり、角部に万一他の部品などが当接すると、この部分が変形し部品不良が発生したり、この部分から発生する微細粉が作業環境を悪化させるという問題があった。
【００１６】
本発明の課題は、真空断熱材の断熱性能の低下を防止し、併せて、作業環境の改善に寄与する真空断熱材およびこの真空断熱材を用いた冷蔵庫を提供することである。
【課題を解決するための手段】
【００１７】
本発明は、真空断熱材の板状芯材を被覆する外被材の内部を減圧密封するときに発生する耳のしわと耳の折り曲げ線とが重ならない構造とするために、板状芯材と板状芯材を被覆する外被材とからなり、外被材の内部を減圧密封したときに板状芯材の周囲よりも外側に形成される耳を有し、耳を真空断熱材表面側に重ね合わせるように折り曲げて形成される真空断熱材において、板状芯材の四隅部のうち少なくとも２つの角部が、９０°を超える角度に面取りされまたは丸みを有する形状に形成されている真空断熱材を提案する。
【００１８】
前記板状芯材の稜角部を面取りしてもよい。
【００１９】
板状芯材の四隅部のうち少なくとも２つの角部が、９０°を超える角度に面取りされまたは丸みを有する形状に形成されているので、板状芯材を被覆する外被材の内部を減圧密封するときに発生する耳のしわが分散され、かつ、小さくなり、耳の折り曲げによる外被材自身のピンホールなどの傷付きが少ない真空断熱材が得られる。
【００２０】
板状芯材の最も弱い角部が面取りされているので、真空断熱材自身の製造工程や運搬・保管工程などでの取り扱い時に、万一他の部品などが角部に当接しても、変形が生じにくい。また、角部からは、微細粉がほとんど発生せず、作業環境を悪化させない。
【００２１】
外被材内部を減圧密封するときに、板状芯材の角部が面取りされていると、外被材に発生する引っ張り応力が小さくなる。したがって、外被材自身の傷付きが少ない真空断熱材を提供できる。
【００２２】
さらに、袋状外被材を採用した場合は、袋状外被材に板状芯材を挿入する挿入工程において、作業ばらつきなどにより、板状芯材の角部が袋状外被材内面に当接しても、板状芯材の四隅部のうち少なくとも２つの角部が、９０°を超える角度に面取りされまたは丸みを有する形状に形成されているので、袋状外被材の傷付きが少ない真空断熱材が得られる。
【００２３】
板状芯材の最も弱い角部が面取りされているので、板状芯材の角部からは微細粉がそれほど発生しない。したがって、板状芯材を袋状外被材内に挿入する挿入する時に、袋状外被材の熱溶着部である開口部分に微細粉がほとんど付着せず、高真空度が長期間持続する真空断熱材を提供できる。
【００２４】
長手方向の折り曲げ線と他方の折り曲げ線との交点を外被材の熱溶着部に位置させたので、外被材の内部を減圧密封するときに発生する耳のしわと耳の折り返しによる折れ線とが交差する部分の外被材が熱溶着されており、強くなる。
【００２５】
面取りの形状または丸みの形状に合わせて板状芯材の角部に対応する斜めの溶着部を外被材に形成し、斜めの溶着部外側の外被材を削除し、長手方向の折り曲げ線と他方の折り曲げ線との仮想の交点を外被材の熱溶着部の外側に位置させた構造では、耳を二重に折り曲げる部分が存在しない。したがって、耳の折り返しによる外被材の傷付きが少ない真空断熱材が得られる。
【００２６】
上記いずれかの真空断熱材を採用した本発明の冷蔵庫では、板状芯材の四隅部のうち少なくとも２つの角部が、９０°を超える角度に面取りされまたは丸みを有する形状に形成されているので、板状芯材を内包する真空断熱材の最も弱い角部が面取りされ、真空断熱材を冷蔵庫に組み込むときの製造工程や運搬・保管工程などでの取り扱い時に、万一他の部品などが角部に当接しても、変形や傷が生じにくく、組み立て効率が良い。また、高真空度を長期間維持でき省エネに優れた冷蔵庫を提供できる。
【００２７】
本発明においては、板状芯材と、板状芯材を被覆する外被材とからなり、外被材の耳を真空断熱材表面側に重ね合わせるように折り曲げて形成する真空断熱材において、板状芯材の稜角部を面取りしたので、板状芯材を被覆する外被材の内部を減圧密封するときに発生する耳のしわが分散され、しかも、しわの大きさが小さくなる。その結果、外被材に耳の折り返しによるピンホールなどの傷付きが少ない真空断熱材およびこの真空断熱材を用いた冷蔵庫が得られる。
【００２８】
また、板状芯材の最も弱い角部が面取りされているので、製造工程や運搬・保管工程などでの取り扱い時に、他の部品などが万一角部に当接しても、この部分に変形が生じにくい。
【００２９】
さらに、角部からの微細粉の発生が抑制され、作業環境を悪化させないから、取り扱い易い真空断熱材およびこの真空断熱材を用いた冷蔵庫を提供できる。
【発明の効果】
【００３０】
本発明によれば、真空断熱材の板状芯材を被覆する外被材の内部を減圧密封するときに発生する耳のしわと耳の折り曲げ線とが重ならない構造を実現できる。
【発明を実施するための最良の形態】
【００３１】
次に、図１〜図７を参照して、本発明による真空断熱材およびそれを用いた冷蔵庫の実施例を説明する。
【実施例１】
【００３２】
図１は、本発明による冷蔵庫の実施例の構造を示す縦断面図であり、図２は、図１の冷蔵庫のＡ−Ａ線に沿った構造を示す横断面図である。
【００３３】
冷蔵庫箱体１０は、外板１１と内板１２とを備え、外板２１と内板１２とによって形成される空間の外板側または内板側に真空断熱材３０および５０を貼り付け、真空断熱材３０および５０以外の空間に発泡断熱材１３を充填してある。
【００３４】
冷蔵庫箱体１０は、その内部に冷蔵温度室１４と製氷室や冷凍室を有する冷凍温度室１５とをそれぞれ区画し形成してある。冷蔵庫内を所定温度に冷却する冷却器１８は、配管１９により圧縮機２０に接続され、一連の冷凍サイクルの一部を形成している。送風機１６は、配線コード１７を通じて給電され、冷却器１８により冷却した冷気を冷蔵庫庫内で循環させ所定の低温を保持する。
【００３５】
本発明の対象となる真空断熱材３０は、ウレタンなどの発泡断熱材１３よりも熱伝導率の小さい真空断熱材である。真空断熱材３０は、板状芯材３１と板状芯材３１を被覆する外被材３２とからなる。
【００３６】
外被材３２は、その内部を減圧密封されて、板状芯材３１の周囲よりも外側に形成された耳３３を有し、耳３３を真空断熱材表面側に重ね合わせるように折り曲げ、折り曲げ部の耳３６がウレタンなどの発泡断熱材１３側となるように、ウレタンなどの発泡断熱材１３内に設置されている。
【００３７】
図３は、本発明による真空断熱材の実施例１の構造を示す図である。図３(ａ)は耳３３を折り曲げる前の状態を示す平面図であり、図３(ｂ)は図３(ａ)の要部の断面図である。
【００３８】
板状芯材３１は、断熱性を有する繊維材料で形成されており、外被材３２は、ガスバリア性を有する複層のラミネートフィルムで形成され、板状芯材３１を被覆する。外被材３２は、真空断熱材３０を高真空度に保持できるように、中間層にガスバリア性を確保するためのアルミニウム箔やアルミニウム蒸着層などを有し、その最外層に耐突き刺し性を示すナイロン樹脂やポリエチレンテレフタレート樹脂などの層を有し、その最内層に高密度ポリエチレン樹脂やポリアクリロニトリル樹脂などの熱溶着可能な合成樹脂層を有している。
【００３９】
耳３３は、外被材３２が、その内部を減圧密封されたときに、板状芯材３１の周囲よりも外側に形成された部分である。熱溶着部３４は、外被材３２の内部を減圧し密封するために耳３３の周縁に確保されている。熱溶着部３４は、外被材３２の最内層を形成する高密度ポリエチレン樹脂などの熱溶着可能な合成樹脂層を熱溶着することにより形成される。
【００４０】
耳３３の折り曲げ線３５ａと３５ｂとは、交点３５ｃで交差する。耳３３のしわ３３ｅ，３３ｆは、外被材３２の内部を減圧密封するときに、板状芯材３１の外表面積と、板状芯材３１を覆う外被材３２の内表面積との違いにより、板状芯材３１の角部に対応して発生するしわである。本発明においては、しわ３３ｅ，３３ｆが折り曲げ線の交点３５ｃと交わらないようにしてある。
【００４１】
板状芯材３１の四隅部は、図３に示すように、２つの角部を備え、その２つの角度は、いずれも９０°を超える角度に形成されている。この角度の大きさ、すなわち、長辺３１ａと短辺３１ｂとを結ぶ面取り部３１ｃの位置と大きさは、面取り部３１ｃと板状芯材の長辺３１ａとの交点である角部３１ｅに対応して発生する耳のしわ３３ｅが、折り曲げ線の交点３５ｃと交わらない位置と大きさに設定してある。
【００４２】
同様に、面取り部３１ｃの位置と大きさは、面取り部３１ｃと板状芯材の短辺３１ｂとの交点である角部３１ｆに対応して発生する耳のしわ３３ｆが、折り曲げ線の交点３５ｃと交わらない位置と大きさに設定してある。
【００４３】
すなわち、板状芯材３１の四隅に面取り部３１ｃを形成し、新たに生じた８箇所の角部３１ｅ(４箇所)、３１ｆ(４箇所)に対応して、発生する耳のしわ３３ｅ，３３ｆが、折り曲げ線の交点３５ｃと交わらないように、面取り部３１ｃの位置と大きさを設定してある。
【００４４】
なお、折り曲げ線の交点３５ｃは、通常、熱溶着部３４の耳３３内に位置するが、２辺を折り曲げたピロー形の袋形状に外被材３２を形成したとき、または、筒状形状に外被材を形成したときは、熱溶着部３４の耳３３内に位置するとは限らない。その場合の対策については、他の実施例で後述する。
【００４５】
図４は、図３の真空断熱材の耳を折り曲げた状態を示す図である。図４(ａ)は耳３３を折り曲げた後の状態を示す平面図であり、図４(ｂ)は図４(ａ)の要部の断面図である。
【００４６】
板状芯材３１は、角部３１ｇを面取りした板状芯材であり、真空断熱材表面側に重ね合わせるように、板状芯材３１を覆い芯材の周囲よりも外側に形成された耳を折り曲げ、密着耳３６を形成してある。密着耳の長辺耳３６ａは、耳の長辺の折り曲げ線である３５ａから折り曲げられている。密着耳の短辺耳３６ｂは、耳の短辺の折り曲げ線である３５ｂから折り曲げられている。交点３５ｃは、折り曲げ線３５ａと３５ｂとの交点である。
【００４７】
実施例１においては、板状芯材３１を覆う外被材３２の耳３３を真空断熱材表面側に重ね合わせるように折り曲げて、板状芯材３１の角部３１ｇを面取りしたので、板状芯材３１を被覆する外被材３２の内部を減圧密封するときに発生する耳３３のしわ３３ｅ，３３ｆが分散され、しかも、小さくなるので、耳３３の折り曲げによる外被材３２自身にピンホールなどの傷が付きにくい真空断熱材が得られる。
【００４８】
板状芯材３１の最も弱い角部３１ｇが面取りされているので、真空断熱材３０自身の製造工程や運搬・保管工程などでの取り扱い時に、角部３１ｇに他の部品などが万一当接しても、この部分の変形が生じにくく、また、角部３１ｇからの微細粉の発生が抑制され、作業環境を悪化させないから、取り扱い易い真空断熱材が得られる。
【００４９】
外被材内部を減圧密封するときに、板状芯材３１の角部３１ｇが面取りされているので、外被材に発生する引っ張り応力が小さくなる。したがって、外被材３２の傷付きが少ない真空断熱材３０を製造できる。
【００５０】
外板１１と内板１２とにより形成される断熱壁内に板状芯材３１の角部３１ｇを面取りした真空断熱材３０を配置したので、板状芯材３１を内包する真空断熱材３０の最も弱い角部３１ｇが面取りされており、真空断熱材３０を冷蔵庫に組み込むときの製造工程や運搬・保管工程などでの取り扱い時に、角部３１ｇに、冷凍サイクルの配管１９や送風機の配線コード１７などの他の部品などが万一当接しても、この部分に変形や傷が生じにくく、組み立て効率が良く、また、高真空度を長期間保持でき省エネに優れた冷蔵庫を提供できる。
【００５１】
また、角部３１ｇを板状芯材３１の厚み方向に面取りすると、上記の効果が大きくなる。すなわち、板状芯材３１の稜角部を面取りすれば、厚み方向の角度も９０°を超える角度となり、真空度の保持に優れたものとすることができる。
【実施例２】
【００５２】
図５は、本発明による真空断熱材の実施例２の構造を示す図である。図５(ａ)は耳４３を折り曲げる前の状態を示す平面図であり、図５(ｂ)は図５(ａ)の要部の断面図である。
【００５３】
板状芯材４１は、ホウ酸やリン酸などの無機バインダを付けた繊維材料で形成され、四隅の角部４１ｃは、所定の大きさで面取りされている。
【００５４】
外被材４２は、板状芯材４１を被覆するガスバリア性を有する複層のラミネートフィルムで形成され、真空断熱材４０を高真空度に保持できるように、中間層にガスバリア性を確保するためのアルミニウム箔やアルミニウム蒸着層などを有し、その最外層に耐突き刺し性を示すナイロン樹脂やポリエチレンテレフタレート樹脂などの層を有し、その最内層に高密度ポリエチレン樹脂やポリアクリロニトリル樹脂などの熱溶着可能な合成樹脂層を有している。
【００５５】
板状芯材４１と外被材４２とを組み合わせて真空断熱材４０を製造するには、まず、熱溶着可能な合成樹脂層で略矩形状原料シートを２枚作る。２枚のシートを向かい合わせて、任意の一辺に開口部を形成し、開口部以外の周縁を熱溶着可能な合成樹脂層で熱溶着して略矩形袋状の外被材４２を形成する。例えば、図５に示すように、外被材の任意の短辺４２ｂ１側を開口部として、短辺４２ｂ１以外の外被材周縁を熱溶着して略矩形状の袋にする。
【００５６】
次に、袋状外被材の開口部４２ｂ１から板状芯材４１を挿入し、袋状外被材４２および板状芯材４１を所定の真空度まで減圧し、袋状外被材４２の開口部４２ｂ１を熱溶着部４４ｂで密封し、所定の真空度の真空断熱材４０を製造する。
【００５７】
上記製造工程において、外被材４２の内部を減圧密封したときに、外被材４２は大気圧により板状芯材４１に密着する。板状芯材４１の外表面積よりも外被材４２の内表面積が大きいので、外被材４２は板状芯材４１表面の周囲よりも外側となる耳４３を形成する。耳４３は、実施例１と同様に、その後、真空断熱材表面側に重ね合わせるように折り曲げられる。
【００５８】
熱溶着部４４は、熱溶着可能な合成樹脂層部で熱溶着した部分であり、耳４３の一部として形成されている。
【００５９】
折り曲げ線４５ａは、真空断熱材４０の表面側に重ね合わせるように、外被材４２の長辺耳４３ａを折り曲げるときの折り曲げ線であり、折り曲げ線４５ｂは、真空断熱材表面側に重ね合わせるように、外被材４２の短辺耳４３ｂを折り曲げるときの折り曲げ線である。
【００６０】
交点４５ｃは、折り曲げ線４５ａと４５ｂとの交点を示している。熱溶着部４４ｃおよび４４ｆは、耳４３の折り曲げ線４５ａ，４５ｂが交差する交点４５ｃを含んで、芯材角部に形成した面取り４１ｃと略平行に形成された熱溶着部である。熱溶着部４４ｃおよび４４ｆは、熱溶着可能な合成樹脂層を有する２枚の外被材を熱溶着して形成されている。
【００６１】
熱溶着部４４ｆは、袋状外被材内を減圧密封するときに熱溶着部４４ｂと同時に形成してもよく、熱溶着部４４ｂとは別なときに形成してもよい。また、熱溶着部４４ｃは、袋状外被材を形成するときに同時に形成してもよく、熱溶着部４４ｆと同時に形成してもよい。
【００６２】
外被材４２の内部を減圧密封するときに、外被材４２の芯材４１表面の周囲より外側に形成された耳４３が平面状態のうちに、耳４３の折り曲げ予定線４５ａおよび４５ｂを事前に設定し、折り曲げ予定線４５ａと４５ｂの交点４５ｃを事前に設定しておき、交点４５ｃ部の２枚の外被材を事前に熱溶着して、熱溶着部４４ｃまたは熱溶着部４４ｆを形成し、外被材４２自身の曲げ強度を高めておく。
【００６３】
図５には、熱溶着部４４ｃの外縁を形成する外被材を面取りして表示してあるが、面取り部４２ｃを設けないで、この部分を真空断熱材自身の製造時に製品搬送治具の支持部として転用することも可能である。
【００６４】
実施例２では、二つの耳の折り曲げ線４５ａと４５ｂとが交差する交点４５ｃは、まず最初長辺耳４３ａにより折り曲げられて、次に短辺耳４５ｂにより二重に折り曲げられるので、交点４５ｃを形成する外被材４２にはかなり大きな曲げ応力が加わる。
【００６５】
しかし、交点４５ｃは、２枚の外被材４２が熱溶着されているので、強くなり、耳４３の折り曲げによる外被材４２自身のピンホールなどの傷付きが少ない真空断熱材が得られる。
【００６６】
二重に折り曲げたときに、この部分にピンホールなどの傷が万一生じても、その周辺では２枚の外被材が熱溶着されているので、この部分からのガス漏れを防止できる。
【００６７】
板状芯材４１の角部が面取りされているので、袋状外被材４２に板状芯材４１を挿入する際に、作業ばらつきなどにより、板状芯材の角部が袋状外被材内面に当接しても、袋状外被材４２の傷付きが少ない真空断熱材４０が得られる。
【００６８】
板状芯材４１の最も弱い角部が面取りされており、板状芯材４１の角部からは微細粉がそれほど発生しないので、板状芯材を袋状外被材内に挿入する際に、袋状外被材の熱溶着部である開口部分に微細粉が付着しない。したがって、高真空度を長期間維持できる真空断熱材を提供できる。
【００６９】
また、角部４１ｃを板状芯材４１の厚み方向に面取りすると、上記の効果が大きくなる。すなわち、板状芯材４１の稜角部を面取りすれば、厚み方向の角度も９０°を超える角度となり、真空度の保持に優れたものとすることができる。
【実施例３】
【００７０】
図６は、本発明による真空断熱材の実施例３の構造を示す図である。図６(ａ)は耳５３を折り曲げる前の状態を示す平面図であり、図６(ｂ)は図６(ａ)の要部の断面図である。
【００７１】
板状芯材５１は、四隅の角部５１ｃが、所定の大きさで面取りされている。外被材５２は、板状芯材５１を被覆するガスバリア性を有する複層のラミネートフィルムで形成されている。耳５３は、外被材５２が、その内部を減圧密封されて、板状芯材５１表面の周囲より外側に形成された部分である。
【００７２】
耳５３は、実施例１と同様に、その後、真空断熱材表面側に重ね合わせるように折り曲げられる。折り曲げ線５５ａは、真空断熱材表面側に重ね合わせるように、外被材５２の長辺耳５３ａを折り曲げるときの折り曲げ線であり、折り曲げ線５５ｂは、真空断熱材表面側に重ね合わせるように、外被材５２の短辺耳５３ｂを折り曲げるときの折り曲げ線である。
【００７３】
交点５５ｃは、折り曲げ線５５ａと５５ｂとの仮想の交点を示している。面取り５２ｃは、耳の折り曲げ線が交差する仮想の交点５５ｃを含んで、芯材角部の面取り５１ｃと略平行に形成された面取りである。
【００７４】
外被材５２が、その内部を減圧密封されるときに、芯材５１表面の周囲より外側に形成された耳５３が平面状態のうちに、耳の折り曲げ予定線５５ａおよび５５ｂを事前に設定し、折り曲げ予定線５５ａと５５ｂとの交点５５ｃを事前に仮定しておき、この仮想の交点５５ｃ部を含むように、外被材５２の角部に面取り５２ｃを事前に形成しておく。なお、面取り部５２ｃは、外被材５２自身の原材料に形成しておく方が望ましいが、この方法には限定されない。
【００７５】
実施例３は、二つの耳の折り曲げ線が交差する交点を含んで、外被材の角部を面取りしたので、耳の折り返し部が重ならない。したがって、耳５３の折り返しによる外被材５２自身の傷付きが少ない真空断熱材が得られる。
【００７６】
また、角部５１ｃを板状芯材５１の厚み方向に面取りすると、上記の効果が大きくなる。すなわち、板状芯材５１の稜角部を面取りすれば、厚み方向の角度も９０°を超える角度となり、真空度の保持に優れたものとすることができる。
【実施例４】
【００７７】
図７は、本発明による真空断熱材の実施例４の構造を示す図である。図７(ａ)は耳６３を折り曲げる前の状態を示す平面図であり、図７(ｂ)は図７(ａ)のＢ−Ｂ線に沿った要部の断面図である。
【００７８】
外被材６２は、板状芯材６１を被覆するガスバリア性を有する複層のラミネートフィルムで形成された外被材である。耳６３は、外被材６２がその内部を減圧密封されたときに、板状芯材６１表面の周囲より外側に形成された部分である。
【００７９】
耳６３は、実施例１と同様に、その後、真空断熱材表面側に重ね合わせるように折り曲げられる。
【００８０】
板状芯材６１は、板状芯材６１を平面図上で四隅の角部６１ａを略円弧状に所定の大きさで面取りしてあり、面取り部６１ａの断面形状の角６１ｂは、所定の大きさで面取りされている。
【００８１】
外被材６２の内部を減圧密封するときに、板状芯材６１の外表面積と板状芯材６１を覆う外被材６２の内表面積との違いにより生じる板状芯材６１の角部に対応して発生する耳６３のしわが無くなるかまたは小さくなるように板状芯材６１の角部を立体的に面取りしてある。
【００８２】
なお、耳６３のしわが無くなるかまたは小さくなるようにするために、平面形状的面取り６１ａの形状を直線的な面取りとし、断面形状の面取り６１ｂを略円弧状の曲線状面取りにしてもよく、または、板状芯材６１の角部全体を略１／４の球面形状としてもよい。
【００８３】
実施例４によれば、板状芯材を覆う外被材の耳を真空断熱材表面側に重ね合わせるように折り曲げる真空断熱材において、板状芯材の角部を面取りしたので、板状芯材を被覆する外被材の内部を減圧密封するときに発生する耳のしわが小さくなり、耳の折り曲げによる外被材自身のピンホールなどの傷付きが少ない真空断熱材を提供できる。
【００８４】
なお、上記実施例では、板状芯材の角部を面取りする構造を説明したが、しわの発生位置を分散させるには、直角に近い角部をなくせばよいので、平面図上で形状が円弧になる単純な(すなわち図７(ｂ)の面取りをしない)丸みをつけた形状や六角形以上の角弧にしてもよい。
【図面の簡単な説明】
【００８５】
【図１】本発明による冷蔵庫の実施例の構造を示す縦断面図である。
【図２】図１の冷蔵庫のＡ−Ａ線に沿った構造を示す横断面図である。
【図３】本発明による真空断熱材の実施例１の構造を示す図である。
【図４】図３の真空断熱材の耳を折り曲げた状態を示す図である。
【図５】本発明による真空断熱材の実施例２の構造を示す図である。
【図６】本発明による真空断熱材の実施例３の構造を示す図である。
【図７】本発明による真空断熱材の実施例４の構造を示す図である。
【図８】従来例の真空断熱材の一例の構造を示す平面図である。
【符号の説明】
【００８６】
１０  冷蔵庫箱体
１１  外板
１２  内板
１３  発泡断熱材
１４  冷蔵温度室
１５  冷凍温度室
１６  送風機
１７  配線コード
１８  冷却器
１９  配管
２０  圧縮機
２１  側板
２２  背面板
３０，４０，５０  真空断熱材
３１，４１，５１  板状芯材
３１ａ，４１ａ，５１ａ  面取り部
３１ｃ  面取り部
３１ｅ，３１ｆ，３１ｇ  角部
３２，４２，５２  外被材
３３，４３，５３  耳
３３ａ，３３ｂ  しわ
３４，４４，５４  熱溶着部
３５  交点
３５ａ，３５ｂ  折り曲げ線
３５ｃ，３５ｄ  交点
３６  密着耳部
３６ａ  長辺耳部
３６ｂ  短辺耳部
【図１】
2006070923.tif 000003
【図２】
2006070923.tif 000004
【図３】
2006070923.tif 000005
【図４】
2006070923.tif 000006
【図５】
2006070923.tif 000007
【図６】
2006070923.tif 000008
【図７】
2006070923.tif 000009
【図８】
2006070923.tif 000010